(57)【要約】【課題】  第１及び第２の筒状アンテナを軸方向に配置した場合でも、第２の筒状アンテナの特性に悪影響を及ぼすことのない、ダイバーシティ・アンテナ装置を提供すること。【解決手段】  上下に第１の筒状アンテナ（１１）と第２の筒状アンテナ（１２）とを互いの中心軸が概ね一致するように軸方向に配置して構成されたダイバーシティ・アンテナ装置（１０）において、第１の給電線路（５１）は、第２の筒状アンテナ（１２）の実質的に中心軸を貫通して配置されて、第１の筒状アンテナ（１１）の下端部へ給電し、第２の給電線路（５２）は、第２の筒状アンテナ（１２）の下端部へ給電する。【選択図】      図１
2008072259.tif 000002
【特許請求の範囲】
【請求項１】
上下に第１の筒状アンテナと第２の筒状アンテナとを互いの中心軸が概ね一致するように軸方向に配置して構成されたダイバーシティ・アンテナ装置において、
前記第２の筒状アンテナの実質的に中心軸を貫通して配置され、前記第１の筒状アンテナの下端部へ給電する第１の給電線路と、
前記第２の筒状アンテナの下端部へ給電する第２の給電線路と、
を有することを特徴とするダイバーシティ・アンテナ装置。
【請求項２】
前記第１及び第２の筒状アンテナの各々は、可撓性の誘電体フィルム部材を中心軸の回りで筒状に形成した筒体と、該筒体の周面に形成された複数本の導体から成るアンテナパターンとから構成され、
前記アンテナパターンは、前記中心軸方向で螺旋状に延在して形成されたヘリカルパターンと、前記筒体の上端部において前記ヘリカルパターンの端部と接続されるループパターンとから構成されていることを特徴とする、請求項１に記載のダイバーシティ・アンテナ装置。
【請求項３】
前記ヘリカルパターンは、前記中心軸方向で少なくとも１回反対方向へ屈曲した屈曲部を有する、請求項２に記載のダイバーシティ・アンテナ装置。
【請求項４】
前記ヘリカルパターンは、前記螺旋状に延在する部分の少なくとも一部がミアンダ状にされていることを特徴とする、請求項２又は３に記載のダイバーシティ・アンテナ装置。
【請求項５】
前記筒体の周面に、前記ヘリカルパターンと電気的に接続されて形成されたフェーズシフタパターンを更に有する、請求項２乃至４のいずれか１つに記載のダイバーシティ・アンテナ装置。
【請求項６】
前記アンテナパターンと前記フェーズシフタパターンは、前記筒体の内周面に形成されており、
前記筒体の外周面で、且つ前記フェーズシフタパターンが形成された場所と対応する面に形成されたグランドパターンを更に有する、請求項５に記載のダイバーシティ・アンテナ装置。
【請求項７】
前記第１及び第２の筒状アンテナを覆う筒状の外装ケースを更に有する、請求項１乃至６のいずれか１つに記載のダイバーシティ・アンテナ装置。
【発明の詳細な説明】
【技術分野】
【０００１】
本発明は、ダイバーシティ・アンテナ装置に関し、特に、モバイル放送を受信するためのスペース・ダイバーシティ方式のアンテナ装置に関する。
【背景技術】
【０００２】
モバイル放送（日本の周波数２．６ＧＨｚの衛星デジタル放送）を受信するために、受信機側ではスペース・ダイバーシティ方式のアンテナ装置が必要である。ここで、スペース・ダイバーシティ方式とは、２個のアンテナで電波を受信し、これらの受信信号を切り換え、または合成して使用する方法である。換言すれば、受信機には２個のアンテナが常時繋がっていて、受信機はこれらの受信信号を切り換え、または合成して使用する。このように、２個のアンテナを使用する事により、不感帯の低減（フェージングの影響の軽減）を図っている。
【０００３】
ここでは、スペース・ダイバーシティ方式のアンテナ装置を、ダイバーシティ・アンテナ装置と呼ぶことにする。ダイバーシティ・アンテナ装置の１つとして、２個のヘリカルアンテナを互いの中心軸が概ね一致するように軸方向に配置したアンテナ装置が知られている（例えば、特許文献１参照）。この特許文献１に開示されたアンテナ装置では、軸方向の一方の端部に入出力端子が設けられており、この入出力端子からの信号は、ヘリカルアンテナの内部を貫通して設置された２本の給電線路によって、２個のヘリカルアンテナそれぞれに入出力端子と反対側の端部から給電されている。ここで、上段のヘリカルアンテナを第１の筒状アンテナと呼び、下段のヘリカルアンテナを第２の筒状アンテナと呼ぶことにする。また、入出力端子は、アンテナ装置の軸方向の下端部に設けられているとする。さらに、２本の給電線路の内、第１の筒状アンテナに給電するものを第１の給電線路と呼び、第２の筒状アンテナに給電するものを第２の給電線路と呼ぶことにする。この場合、第１の給電線路は、第２の筒状アンテナの内部と第１の筒状アンテナの内部を貫通して、第１の筒状アンテナの上端部から給電し、第２の給電線路は、第２の筒状アンテナの内部を貫通して、第２の筒状アンテナの上端部から給電することになる。換言すれば、第２の筒状アンテナの内部を第１及び第２の給電線路が貫通することなる。
【０００４】
【特許文献１】特許第３０８９９３３号公報
【発明の開示】
【発明が解決しようとする課題】
【０００５】
上述した特許文献１に開示されたダイバーシティ・アンテナ装置では、第２の筒状アンテナの内部を２本の給電導線が貫通することになる。この技術分野において周知のように、ヘリカルアンテナの中心軸は、最も電力の集まらない部分であって、当該ヘリカルアンテナの特性に影響を及ぼさない部分である。しかしながら、特許文献１に開示されたダイバーシティ・アンテナ装置では、第２の筒状アンテナの内部を２本の給電導線を通過させなければならないので、第２の筒状アンテナの特性に悪影響を及ぼしてしまう。
【０００６】
また、特許文献１に開示されたダイバーシティ・アンテナ装置では、各ヘリカルアンテナは複数本の導体線を円筒状に互いに等間隔かつ一定のピッチで螺旋状に巻いたものである。そのため、各ヘリカルアンテナの長さが長くなってしまうという問題もある。
【０００７】
したがって、本発明の課題は、第１及び第２の筒状アンテナを軸方向に配置した場合でも、第２の筒状アンテナの特性に悪影響を及ぼすことのない、ダイバーシティ・アンテナ装置を提供することにある。
【０００８】
本発明の他の課題は、第１及び第２の筒状アンテナの各々の長さを短縮化することができる、ダイバーシティ・アンテナ装置を提供することにある。
【課題を解決するための手段】
【０００９】
本発明によれば、上下に第１の筒状アンテナ（１１）と第２の筒状アンテナ（１２）とを互いの中心軸が概ね一致するように軸方向に配置して構成されたダイバーシティ・アンテナ装置（１０）において、前記第２の筒状アンテナ（１２）の実質的に中心軸を貫通して配置され、前記第１の筒状アンテナ（１１）の下端部へ給電する第１の給電線路（５１）と、前記第２の筒状アンテナ（１２）の下端部へ給電する第２の給電線路（５２）と、を有することを特徴とするダイバーシティ・アンテナ装置が得られる。
【００１０】
上記ダイバーシティ・アンテナ装置において、前記第１及び第２の筒状アンテナ（１１，１２）の各々は、可撓性の誘電体フィルム部材（２０；３０）を中心軸の回りで筒状に形成した筒体（１１ａ；１２ａ）と、該筒体の周面に形成された複数本の導体（２１，２２，２３，２４，２８；３１，３２，３３，３４，３８）から成るアンテナパターンとから構成され、前記アンテナパターンは、前記中心軸方向で螺旋状に延在して形成されたヘリカルパターン（２１〜２４；３１〜３４）と、前記筒体の上端部において前記ヘリカルパターンの端部と接続されるループパターン（２８；３８）とから構成されてよい。前記ヘリカルパターン（２１〜２４；３１〜３４）は、前記中心軸方向で少なくとも１回反対方向へ屈曲した屈曲部を有することが好ましい。また、前記ヘリカルパターン（２１〜２４；３１〜３４）は、前記螺旋状に延在する部分の少なくとも一部がミアンダ形状にされていることが好ましい。さらに、前記筒体（１１ａ；１２ａ）の周面に、前記ヘリカルパターンと電気的に接続されて形成されたフェーズシフタパターン（２５；３５）を更に有することが望ましい。前記アンテナパターン（２１〜２４、２８；３１〜３４、３８）と前記フェーズシフタパターン（２５；３５）は、前記筒体の内周面（２０−１；３０−１）に形成されることが好ましい。その場合、前記筒体の外周面（２０−２；３０−２）で、且つ前記フェーズシフタパターンが形成された場所と対応する面に形成されたグランドパターン（２７；３７）を更に有して良い。前記第１及び第２の筒状アンテナ（１１、１２）を覆う筒状の外装ケース（４０）を更に有して良い。
【００１１】
尚、上記括弧内の符号は、本発明の理解を容易にするために付したものであり、一例にすぎず、これらに限定されないのは勿論である。
【発明の効果】
【００１２】
本発明では、第２の筒状アンテナの内部を、第１の筒状アンテナの下端部へ給電する第１の給電線路のみを実質的に中心軸を貫通して配置しているので、第１の筒状アンテナの出力が第２の筒状アンテナの特性に悪影響を及ぼさないようにすることができる。
【００１３】
また、ヘリカルパターンにおいて螺旋状に延在する部分の形状を、中心軸方向で少なくとも１回反対方向へ屈曲した屈曲部を有するようにし、また少なくも一部をミアンダ状にしたことにより、第１及び第２の筒状アンテナの各々の中心軸方向のサイズを縮小することができる。
【発明を実施するための最良の形態】
【００１４】
以下、図面を参照して、本発明の実施の形態について詳細に説明する。
【００１５】
図１乃至図３を参照して、本発明の一実施の形態に係るダイバーシティ・アンテナ装置１０について説明する。図示のダイバーシティ・アンテナ装置１０は、モバイル放送（日本の周波数２．６ＧＨｚの衛星デジタル放送）を受信するためのアンテナ装置である。図１は、ダイバーシティ・アンテナ装置１０を示す概略分解図である。図２はダイバーシティ・アンテナ装置１０に使用される第１の筒状アンテナ１１の展開図で、（Ａ）は第１の面（内周面）を示す平面図、（Ｂ）は第２の面（外周面）を示す平面図である。図３はダイバーシティ・アンテナ装置１０に使用される第２の筒状アンテナ１２の展開図で、（Ａ）は第１の面（内周面）を示す平面図、（Ｂ）は第２の面（外周面）を示す平面図である。
【００１６】
図１に示されるように、ダイバーシティ・アンテナ装置１０は、上下に第１の筒状アンテナ１１と第２の筒状アンテナ１２とを互いの中心軸が概ね一致するように軸方向に配置して構成されている。そして、ダイバーシティ・アンテナ装置１０は、第２の筒状アンテナ１２の実質的に中心軸を貫通して配置され、第１の筒状アンテナ１１の下端部へ給電する第１の給電線路５１と、第２の筒状アンテナ１２の下端部へ給電する第２の給電線路５２とを有する。第１及び第２の給電線路５１、５２の各々はピッグテールとも呼ばれる。第１の筒状アンテナ１１と第２の筒状アンテナ１２とは第３の筒体１３によって互いに連結されている。
【００１７】
このように、第１の筒状アンテナ１１の出力（給電部分）が第２の筒状アンテナ１２の特性に悪影響を及ぼさないように、第１の給電線路（ピッグテール）５１は、第２の筒状アンテナ１２の中心軸に沿って通過されている。第２の筒状アンテナ１２の中心軸は、前述したように、最も電力の集まらない部分である。
【００１８】
図２を参照して、第１の筒状アンテナ１１について説明する。第１の筒状アンテナ１１は、第１の可撓性の誘電体フィルム部材２０を中心軸の回りに筒状に丸めて形成された第１の筒体１１ａを有する。図２において、（Ａ）は第１の誘電体フィルム部材２０の第１の面２０−１を示し、（Ｂ）は第１の誘電体フィルム部材２０の第２の面２０−２を示す。第１の誘電体フィルム部材２０は、低損失誘電体材料、例えばテフロン（登録商標）系材料によるフィルムを用いて作製され、第１の面２０−１側には第１のアンテナパターン部分２０Ａと第１のフェーズシフタ部分２０Ｐとを有する。第１のアンテナパターン部分２０Ａは、実質的に平行四辺形の形状をしており、第１のフェーズシフタ部分２０Ｐは、実質的に矩形の形状をしている。
【００１９】
第１のアンテナパターン部分２０Ａは、ダイバーシティ・アンテナ装置１０の長手方向（中心軸方向）で螺旋状に延在して形成された第１のヘリカルパターン部分２０Ｈと、第１の筒体１１ａの上端部において第１のヘリカルパターン部分２０Ｈの端部と接続される第１のループパターン部分２０Ｌとから構成されている。
【００２０】
第１の誘電体フィルム部材２０を第１の面２０−１が内周面となるように丸めたうえでその一対の側辺間を接続することにより、図１に示されるような、第１の筒体１１ａが形成される。一対の側辺間の接続は、例えば、両面接着テープや接着剤、半田付けなどによって行われる。
【００２１】
第１のヘリカルアンテナ部分２０Ｈの第１の面２０−１上には、第１乃至第４のヘリカル導体２１，２２，２３，２４から成る第１のアンテナパターンが形成されている。図示の第１乃至第４のヘリカル導体２１〜２４の各々は、ダイバーシティ・アンテナ装置１０の長手方向（中心軸方向）で４回反対方向へ屈曲した状態で、側辺と平行に延在して形成されている。特に、第１乃至第４のヘリカル導体２１〜２４の各々において側辺と平行に延在している５本の導体パターンのうちの少なくとも１本、ここでは第１のフェーズシフトパターン２５に接続される導体パターンをミアンダ状、つまりジグザグに蛇行させるようにしている。
【００２２】
上述したように第１の誘電体フィルム部材２０を第１の筒体１１ａに丸めると、第１乃至第４のヘリカル導体２１〜２４の各々は、第１の筒体１１ａの内周面に、ダイバーシティ・アンテナ装置１０の長手方向（中心軸方向）で４回反対方向へ屈曲した状態で、へリックス状に延在して形成されることになる。第１乃至第４のヘリカル導体２１〜２４から成る第１のアンテナパターンはヘリカルアンテナとして働く。
【００２３】
このような構成の第１の筒状アンテナ１１では、第１乃至第４のヘリカル導体２１〜２４の各々がダイバーシティ・アンテナ装置１０の長手方向で屈曲し、しかも各ヘリカル導体の一部がミアンダ状に形成されているので、導体長を長くすることができ、ヘリカル導体を屈曲しない場合に比較して、第１の筒状アンテナ１１の高さを低くすることができる。
【００２４】
第１のループアンテナ部分２０Ｌの第１の面２０−１上には、第１乃至第４のヘリカル導体２１〜２４の先端（上端）と接続された第１のループ導体２８から成る第２のアンテナパターンが形成されている。この第１のループ導体２８から成る第２のアンテナパターンはループアンテナとして働く。
【００２５】
第１のフェーズシフタ部分２０Ｐの第１の面２０−１上には、上記第１のアンテナパターンと電気的に接続された第１のフェーズシフタパターン２５が形成されている。従って、上述したように第１の誘電体フィルム部材２０を第１の筒体１１ａに丸めると、第１の筒体１１ａの内周面に第１のフェーズシフタパターン２５が形成されることになる。この第１のフェーズシフタパターン２５は移相器として働く。
【００２６】
第１のフェーズシフタ部分２０Ｐの第２の面２０−２上には、第１のグランドパターン２７が形成されている。すなわち、第１のグランドパターン２７は、第１のフェーズシフタパターン２５が形成された場所と対向する面に形成されている。従って、上述したように第１の誘電体フィルム部材２０を第１の筒体１１ａに丸めると、第１の筒体１１ａの外周面で、且つ第１のフェーズシフタパターン２５が形成された場所と対向する面に第１のグランドパターン２７が形成されることになる。この第１のグランドパターン２７は、第１のフェーズシフタパターン２５を覆うように設けられ、シールド部材として働く。
【００２７】
第１の給電線路（ピッグテール）５１は、第１の内部導体（中心導体）５１１と、筒状の第１の外部導体５１２と、第１の内部導体５１１と第１の外部導体５１２との間に設けられた筒状の第１の絶縁部材５１３とから構成される。図２（Ａ）に示されるように、第１の内部導体５１１の一端は、第１のフェーズシフタパターン２５の第１の出力端子２５ａに半田６１によって電気的に接続されている。一方、図２（Ｂ）に示されるように、第１の外部導体５１２の一端は、第１のグランドパターン２７に半田６２によって電気的に接続されている。
【００２８】
第１のループアンテナ部分２０Ｌの第１のループ導体２８及び第１のヘリカルアンテナ部分２０Ｈの４本の導体２１〜２４で受信された複数の放送波（円偏波）は、第１のフェーズシフタパターン２５によってそれらの位相をシフトすることにより互いに位相を一致させて（調整して）合成された後、第１の出力端子２５ａから第１の給電線路（ピッグテール）５１を介して受信機本体（図示せず）へ送られる。
【００２９】
図３を参照して、第２の筒状アンテナ１２について説明する。第２の筒状アンテナ１２は、第２の可撓性の誘電体フィルム部材３０を中心軸の回りに筒状に丸めて形成された第２の筒体１２ａを有する。図３において、（Ａ）は第２の誘電体フィルム部材３０の第１の面３０−１を示し、（Ｂ）は第２の誘電体フィルム部材３０の第２の面３０−２を示す。第２の誘電体フィルム部材３０は、低損失誘電体材料、例えばテフロン（登録商標）系材料によるフィルムを用いて作製され、第１の面３０−１側には第２のアンテナパターン部分３０Ａと第２のフェーズシフタ部分３０Ｐとを有する。第２のアンテナパターン部分３０Ａは、実質的に平行四辺形の形状をしており、第２のフェーズシフタ部分３０Ｐは、実質的に矩形の形状をしている。
【００３０】
第２のアンテナパターン部分３０Ａは、ダイバーシティ・アンテナ装置１０の長手方向（中心軸方向）で螺旋状に延在して形成された第２のヘリカルパターン部分３０Ｈと、第２の筒体１２ａの上端部において第２のヘリカルパターン部分３０Ｈの端部と接続される第２のループパターン部分３０Ｌとから構成されている。
【００３１】
第２の誘電体フィルム部材３０を第１の面３０−１が内周面となるように丸めたうえでその一対の側辺間を接続することにより、図１に示されるような、第２の筒体１２ａが形成される。一対の側辺間の接続は、例えば、両面接着テープや接着剤、半田付けなどによって行われる。
【００３２】
第２のヘリカルアンテナ部分３０Ｈの第１の面３０−１上には、第１乃至第４のヘリカル導体３１，３２，３３，３４から成る第３のアンテナパターンが形成されている。図示の第１乃至第４のヘリカル導体３１〜３４の各々は、ダイバーシティ・アンテナ装置１０の長手方向（中心軸方向）で４回反対方向へ屈曲した状態で、側辺と平行に延在して形成されている。特に、第１乃至第４のヘリカル導体３１〜３４の各々において側辺と平行に延在している５本の導体パターンのうちの少なくとも１本、ここでは第２のフェーズシフトパターン３５に接続される導体パターンをミアンダ状、つまりジグザグに蛇行させるようにしている。
【００３３】
上述したように第２の誘電体フィルム部材３０を第２の筒体１２ａに丸めると、第１乃至第４のヘリカル導体３１〜３４の各々は、第２の筒体１２ａの内周面に、ダイバーシティ・アンテナ装置１０の長手方向（中心軸方向）で４回反対方向へ屈曲した状態で、へリックス状に延在して形成されることになる。第１乃至第４のヘリカル導体３１〜３４から成る第３のアンテナパターンはヘリカルアンテナとして働く。
【００３４】
このような構成の第２の筒状アンテナ１２では、第１乃至第４のヘリカル導体３１〜３４の各々がダイバーシティ・アンテナ装置１０の長手方向で屈曲し、しかも各ヘリカル導体の一部がミアンダ状に形成されているので、導体長を長くすることができ、ヘリカル導体を屈曲しない場合に比較して、第２の筒状アンテナ１２の高さを低くすることができる。
【００３５】
第２のループアンテナ部分３０Ｌの第１の面３０−１上には、第１乃至第４のヘリカル導体３１〜３４の先端（上端）と接続された第２のループ導体２８から成る第４のアンテナパターンが形成されている。この第２のループ導体２８から成る第４のアンテナパターンはループアンテナとして働く。
【００３６】
第２のフェーズシフタ部分３０Ｐの第１の面３０−１上には、上記第３のアンテナパターンと電気的に接続された第２のフェーズシフタパターン３５が形成されている。従って、上述したように第２の誘電体フィルム部材３０を第２の筒体１２ａに丸めると、第２の筒体１２ａの内周面に第２のフェーズシフタパターン３５が形成されることになる。この第２のフェーズシフタパターン２５は移相器として働く。
【００３７】
第２のフェーズシフタ部分３０Ｐの第２の面３０−２上には、第２のグランドパターン３７が形成されている。すなわち、第２のグランドパターン３７は、第２のフェーズシフタパターン３５が形成された場所と対向する面に形成されている。従って、上述したように第２の誘電体フィルム部材３０を第２の筒体１２ａに丸めると、第２の筒体１２ａの外周面で、且つ第２のフェーズシフタパターン３５が形成された場所と対向する面に第２のグランドパターン３７が形成されることになる。この第２のグランドパターン３７は、第２のフェーズシフタパターン３５を覆うように設けられ、シールド部材として働く。
【００３８】
第２の給電線路（ピッグテール）５２は、第２の内部導体（中心導体）５２１と、筒状の第２の外部導体５２２と、第２の内部導体５２１と第２の外部導体５２２との間に設けられた筒状の第２の絶縁部材５２３とから構成される。図３（Ａ）に示されるように、第２の内部導体５２１の一端は、第２のフェーズシフタパターン３５の第２の出力端子３５ａに半田６３によって電気的に接続されている。一方、図３（Ｂ）に示されるように、第２の外部導体５２２の一端は、第２のグランドパターン３７に半田６４によって電気的に接続されている。
【００３９】
第２のループアンテナ部分３０Ｌの第２のループ導体３８及び第２のヘリカルアンテナ部分３０Ｈの４本の導体３１〜３４で受信された複数の放送波（円偏波）は、第２のフェーズシフタパターン３５によってそれらの位相をシフトすることにより互いに位相を一致させて（調整して）合成された後、第２の出力端子３５ａから第２の給電線路（ピッグテール）５２を介して受信機本体（図示せず）へ送られる。
【００４０】
図１に戻って、ダイバーシティ・アンテナ装置１０は、第１の筒状アンテナ１１と第２の筒状アンテナ１２とを覆う有頭で筒状の外装ケース（シリンダ）４０を更に有する。この外装ケース４０の内径は、第１の筒状アンテナ１１の第１の筒体１１ａ、第２の筒状アンテナ１２の第２の筒体１２ａ、および第３の筒体１３の直径よりも大きい。
【００４１】
上述したように、本実施の形態では、第１のヘリカルアンテナ部分２０Ｈを構成する第１乃至第４のヘリカル導体２１〜２４から成る第１のアンテナパターンおよび第１のループアンテナ部分２０Ｌを構成する第１のループ導体２８から成る第２のアンテナパターンが、第１の筒体１１ａの内周面２０−１に形成されており、かつ、第２のヘリカルアンテナ部分３０Ｈを構成する第１乃至第４のヘリカル導体３１〜３４から成る第３のアンテナパターンおよび第２のループアンテナ部分３０Ｌを構成する第２のループ導体３８から成る第４のアンテナパターンが、第２の筒体１２ａの内周面３０−１に形成されているので、第１乃至第４のアンテナパターンと外装ケース４０の内壁とが直接接触することはない。従って、ダイバーシティ・アンテナ装置１０のアンテナ特性が外装ケース４０の影響を受けるのを防止することができる。また、シールド部材として働く第１及び第２のグランドパターン２７及び３７が、それぞれ、第１及び第２のフェーズシフタパターン２５及び３５の外側に配置されるので、ダイバーシティ・アンテナ装置１０のアンテナ特性が人体の影響を受けるのを防止することができる。その結果、本実施の形態に係るダイバーシティ・アンテナ装置１０は、使用中においても所望のアンテナ特性を得ることができる。加えて、高誘電体であるセラミックを用いた小型化ではないため誘電体損失が小さく、高利得のダイバーシティ・アンテナ装置１０を安価で提供できる。
【００４２】
尚、ダイバーシティ・アンテナ装置１０のアンテナ放射特性は、第１及び第２のループ導体２８及び３８の径や第１乃至第４のヘリカル導体２１〜２４及び３１〜３４の角度を設計変更することにより、ある程度自由に変えることができる。
【００４３】
以上、本発明について好ましい実施の形態によって説明してきたが、本発明は上述した実施の形態に限定しないのは勿論である。例えば、上記実施の形態では、第１のアンテナパターンとして筒体の内周面に形成された４本のヘリカル導体を用いているが、少なくとも１本のヘリカル導体から成って良い。ヘリカル導体が１本の場合には、移相器（フェーズシフタ部分）は不要である。上記実施の形態では、第１のアンテナパターンを構成する各ヘリカル導体がダイバーシティ・アンテナ装置の長手方向（中心軸方向）で４回反対方向へ屈曲しているが、少なくとも１回反対方向へ屈曲するもので良い。上記実施の形態では、シールド部材として筒体の外周面に形成されたグランドパターンを用いているが、シールド部材はこれに限定されず、フェーズシフタパターンを覆うように設けられていれば良い。例えば、シールド部材は、外装ケース４０の内壁で、且つフェーズシフタパターンが形成された場所と対応する面に形成された導体パターンであっても良いし、外装ケース４０の外壁で、且つフェーズシフタパターンが形成された場所と対応する面に張られたシールド効果のあるテープであっても良い。
【００４４】
また、上記実施の形態において説明したダイバーシティ・アンテナ装置は、モバイル放送（日本の周波数２．６ＧＨｚの衛星デジタル放送）を受信するための小型のアンテナ装置に適しているが、これに限定される訳ではなく、デジタルラジオ受信機用のパーソナルタイプで小型のアンテナ装置や、ＧＰＳ受信機用のアンテナ装置や、他の衛星波、地上波を受信するための移動体通信用のアンテナ装置としても適用可能である。
【図面の簡単な説明】
【００４５】
【図１】本発明の一実施の形態に係るダイバーシティ・アンテナ装置を示す概略分解図である。
【図２】図１に示したダイバーシティ・アンテナ装置に使用される第１の筒状アンテナの展開図で、（Ａ）は第１の面（内周面）を示す平面図、（Ｂ）は第２の面（外周面）を示す平面図である。
【図３】図１に示したダイバーシティ・アンテナ装置に使用される第２の筒状アンテナの展開図で、（Ａ）は第１の面（内周面）を示す平面図、（Ｂ）は第２の面（外周面）を示す平面図である。
【符号の説明】
【００４６】
１０    ダイバーシティ・アンテナ装置
１１    第１の筒状アンテナ
１１ａ    第１の筒体
１２    第２の筒状アンテナ
１２ａ    第２の筒体
１３    第３の筒体
２０    第１の可撓性の誘電体フィルム部材
２０Ａ    第１のアンテナパターン部分
２０Ｈ    第１のヘリカルアンテナ部分
２０Ｌ    第１のループアンテナ部分
２０Ｐ    第１のフェーズシフタ部分
２０−１    第１の面（内周面）
２０−２    第２の面（外周面）
２１〜２４    ヘリカル導体（第１のアンテナパターン）
２５    第１のフェーズシフタパターン（移相器）
２７    第１のグランドパターン（シールド部材）
２８    第１のループ導体（第２のアンテナパターン）
３０    第２の可撓性の誘電体フィルム部材
３０Ａ    第２のアンテナパターン部分
３０Ｈ    第２のヘリカルアンテナ部分
３０Ｌ    第２のループアンテナ部分
３０Ｐ    第２のフェーズシフタ部分
３０−１    第１の面（内周面）
３０−２    第２の面（外周面）
３１〜３４    ヘリカル導体（第３のアンテナパターン）
３５    第２のフェーズシフタパターン（移相器）
３７    第２のグランドパターン（シールド部材）
３８    第２のループ導体（第４のアンテナパターン）
４０    外装ケース（シリンダ）
【図１】
2008072259.tif 000003
【図２】
2008072259.tif 000004
【図３】
2008072259.tif 000005